(57)【要約】      （修正有）【課題】記録ディスクに発生する振動を効果的に抑えることができるチャッキング装置を備えた薄型のスピンドルモータを提供する。【解決手段】スピンドルモータは、ロータホルダ２２の上面に記録ディスクの下面を支持するディスク載置部材６０Ａを備え、記録ディスク載置時において、記録ディスクの下面とディスク載置部材６０Ａとが当接する面積、及びディスク載置部材６０Ａとロータホルダ２２の上面とが当接する面積の少なくともいずれか一方が周方向で不均一となるよう設定されている。これにより、記録ディスクは回転軸に対して軸非対称に保持され、軸対称な振動モードに対して共振し難くなる。【選択図】図３
2008181622.tif 000002
【特許請求の範囲】
【請求項１】
中心開口部を有する円板状の記録ディスクを着脱自在とするチャッキング装置を備えるスピンドルモータであって、
所定の回転中心軸となるシャフトと、
前記シャフトを中心として前記シャフトとともに回転するターンテーブルと、
前記ターンテーブルの上面に設けられ、前記記録ディスクの下面を支持するディスク載置部材と、
前記ターンテーブル上の中央部に配置されて、前記ターンテーブルとともに回転し、前記記録ディスクの中心開口部が嵌装される略円錐面を有するチャッキングケースと、前記チャッキングケースから径方向外方に突出するよう付勢され、前記記録ディスクの中心開口部に係合して当該記録ディスクを保持する複数の保持爪と、を有するチャッキング装置と、を備え、
前記記録ディスク載置時において、前記記録ディスクの下面と前記ディスク載置部材とが当接する面積、及び前記ディスク載置部材と前記ターンテーブルの上面とが当接する面積の少なくともいずれか一方が周方向で不均一となるよう設定されていることを特徴とするスピンドルモータ。
【請求項２】
前記ディスク載置部材の外径及び内径の少なくとも一方は回転中心軸からの径方向の距離が周方向で不均一であることを特徴とする請求項１に記載のスピンドルモータ。
【請求項３】
前記ディスク載置部材は、上面において前記記録ディスクと当接し下面において前記ターンテーブルに固定される支持部と、前記支持部より厚さが薄い薄肉部とを備えることを特徴とする請求項１若しくは請求項２に記載のスピンドルモータ。
【請求項４】
前記薄肉部は、その上面において前記記録ディスクと当接し、その下面は前記ターンテーブルとの間に間隙を有することを特徴とする請求項３に記載のスピンドルモータ。
【請求項５】
前記薄肉部は、その下面において前記ターンテーブルと当接し、その上面は前記記録ディスクとの間に間隙を有することを特徴とする請求項３に記載のスピンドルモータ。
【請求項６】
前記薄肉部は、前記ディスク載置部材に熱を加えて形成されることを特徴とする請求項３乃至請求項５のいずれかに記載のスピンドルモータ。
【請求項７】
前記ターンテーブルは、その上面に前記ディスク載置部材が当接する当接部と、該当接部より下側に陥没し前記ディスク載置部材と間隙を介して対向する非当接部とを備え、該非当接部の面積が周方向で不均一であることを特徴とする請求項１乃至請求項６のいずれかにスピンドルモータ。
【請求項８】
前記ディスク載置部材は略円弧形状であることを特徴とする請求項１乃至請求項７のいずれかに記載のスピンドルモータ。
【請求項９】
前記ディスク載置部材は略円環形状であることを特徴とする請求項２乃至請求項７のいずれかに記載のスピンドルモータ。
【請求項１０】
前記ディスク載置部材は複数設けられることを特徴とする請求項１乃至請求項９のいずれかに記載のスピンドルモータ。
【請求項１１】
前記ディスク載置部材は周方向に不均等に設けられることを特徴とする請求項１０に記載のスピンドルモータ。
【請求項１２】
複数個の前記ディスク載置部材のうちの少なくとも１つは、前記記録ディスクと当接する面積が他の前記ディスク載置部材の少なくとも１つと異なることを特徴とする請求項１０もしくは請求項１１に記載のスピンドルモータ。
【請求項１３】
前記ターンテーブルの厚みは０．４ｍｍ以下であることを特徴とする請求項１乃至請求項１２のいずれかに記載のスピンドルモータ。
【請求項１４】
前記ディスク載置部材は、ゴムで成型されており、その表面には複数の凸部が形成されていることを特徴とする請求項１乃至請求項１３のいずれかに記載のスピンドルモータ。
【請求項１５】
前記ディスク載置部材の厚さは、０．２ｍｍ以下であることを特徴とする請求項１乃至請求項１４のいずれかに記載のスピンドルモータ。
【請求項１６】
前記ディスク載置部材は、シリコーン系樹脂を含んだ材料であることを特徴とする請求項１乃至請求項１５のいずれかに記載のスピンドルモータ。
【請求項１７】
中心開口部を有する円板状の記録ディスクが装着される情報記録装置において、筐体と、当該筐体内部に固定され前記記録ディスクを回転させるスピンドルモータと、前記記録ディスクの所要の位置に情報を書き込みまたは読み出すための情報アクセス手段とを有する情報記録装置であって、前記スピンドルモータは、請求項１乃至請求項１６のいずれかに記載のスピンドルモータであることを特徴とする情報記録装置。
【発明の詳細な説明】
【技術分野】
【０００１】
本発明は、記録ディスクを所定方向に回転駆動するためのスピンドルモータ及びスピンドルモータを組み込んだ情報記録装置に関する。
【背景技術】
【０００２】
近年、ＣＤ、ＤＶＤ等の記録ディスクを駆動するためのスピンドルモータには、小型化、薄型化の要求が高まっている。そのため、駆動力を発生させるモータ機構はもちろんのこと、ディスクを保持するチャッキング機構についても小型化、薄型化の工夫がなされている。
【０００３】
ディスクを保持するチャッキング機構には、大きく分けて、モータとは別体に設けられるクランパを用いてディスクを保持するクランプ方式と、モータ自体にディスクを保持するチャッキング機構が設けられるボールチャック方式と、の２種類に分類できる。このうち、クランプ方式は、クランパをモータと別体で設ける分装置が大掛かりになり、装置全体の厚みが増してしまうという欠点がある。このため、小型・薄型の機種に関しては、次第にボールチャック方式が主流になってきている。
【０００４】
ボールチャック方式のチャッキング機構について、より詳細に説明する。
【０００５】
ボールチャック方式のチャッキング機構の一例（例えば、特許文献１参照）として、略円筒形状のケースに周方向に等間隔となるように配置された３つの弾性バネとこの弾性バネに係合する３つのチャック部を組み込ませたものが開示されている。このチャック部は記録ディスクの中心孔より少し大きい外径の位置に突出するようになっており、このケースに記録ディスクの中心孔を挿入すると、まず弾性バネによりチャック部は記録ディスクの中心孔周縁に押されて半径方向内側に移動し、記録ディスクがチャック部より下側に来たときに、弾性バネの復元力によりチャック部が半径方向外側に移動してこの記録ディスクを保持する仕組みである。
【０００６】
【特許文献１】特開２０００−２０７８２１号公報
【０００７】
しかしながら、ボールチャック方式には、以下の欠点がある。すなわち、ボールチャック方式では、弾性バネの付勢力により記録ディスクを保持している。また、ボールチャック方式の構造上、保持爪にて記録ディスクを保持できる部分が記録ディスクの中心開口部近傍に限られる。その結果、記録ディスクに対する保持力が充分でなく、記録ディスクの径方向略同一位置を軸方向の上側と下側とから挟持して保持するクランプ方式と比較して記録ディスクが振動しやすくなっている。
【０００８】
ここで、振動問題に関して詳述する。スピンドルモータによって回転駆動される記録ディスクは、一般に薄い円板状であり、ディスク保持状態において、記録ディスクが外力により振動すると、固有振動数が異なる複数の典型的な薄肉円板の振動モードが重なった振動形状になる。これらの振動モードの例を図１２に示す。図１２（ａ）は、振動の節が回転中心軸を通って半径方向に延び、２つの節が直交しているときの例である。この図中の「＋」で示した領域２００と、「−」で示した領域２０２は常に逆に振れており、「＋」の領域２００が振動の山となったときは「−」の領域２０２が振動の谷となり、「＋」の領域２００が振動の谷となったときは「−」の領域２０２が振動の山となる。また、図１２（ｂ）は、振動の節が同心円状になっている例であり、このときも、上述したものと同様に、「＋」の領域２０４と「−」の領域２０６とは逆に振れる。
【０００９】
上記振動モードは例であり、これら振動モードの他に多数の振動モードが存在するが、上述したように記録ディスクの保持条件が周方向に実質上均一である場合、どの振動モードも回転中心軸に対して対称となり、各振動モードにおける振動の節は、回転中心軸の軸心を通り、記録ディスクを等分割する直線と、この軸心を中心とする同心円の組合せで構成される。
【００１０】
モータの回転などで発生する励振周波数が、特定の振動モードにおける固有振動数と一致すると共振し、記録ディスクは上記振動モードにて極めて大きく振動する。一般的に、モータは回転系として回転中心軸対称となっており、それに発生する励振力も回転中心軸対称のものがほとんどである。したがって、上述のような回転中心軸対称の振動モード形状の固有値は、特に共振して大きく振動し易い特性を有しており、周方向に均一な条件で保持された記録ディスクは、大きく振動し易い。
【００１１】
このように記録ディスクの振動が大きくなると、ピックアップによる情報の読取り・書込みを正確に行うことが困難となり、読取りエラー・書込みエラーが発生したり、振動・騒音の原因になったりする。
【００１２】
記録ディスクの振動を抑制することに関して、従来から様々の工夫がなされてきた。
【００１３】
特許文献２では、動吸振装置をクランプ機構に追加設置することで制振する方法が記載されているが、機構が複雑となり薄型化が困難である。また、特許文献３では周方向のクランプ状態を不均一にすることで、記録ディスクの応答振幅を小さくする方法が詳しく記載されているが、不均一性の定義・程度とその効果の関係が不明確である。また、特許文献３はクランパを用いる構造であり、薄型化が困難である。
【００１４】
【特許文献２】特開平６−１５０５３２
【特許文献３】特開平１１−３２８７９４
【００１５】
また、ボールチャックタイプの場合、記録ディスクの振動を抑えるために弾性バネの付勢力を増すという対策が考えられるが、その場合、以下の問題点がある。まず、弾性バネの付勢力を増加させると記録ディスクをスピンドルモータに装着するのに必要な力（いわゆる、装着力）が増加してしまい、チャッキング装置の特性が低下する。また、保持爪を周方向に複数設ける構造上、記録ディスクの中心開口部全周に亘って保持することができないため、保持爪に押圧される部分とされない部分とで曲げモーメントが発生し、歪みが生じる。この歪みがひどくなると、記録ディスクの歪みによりピックアップ機構で情報がうまく読み取れず、また、記録ディスクに亀裂が入る等の不具合が発生するおそれがある。したがって、弾性バネの付勢力を強化してディスク保持力を得ることには限界がある。
【００１６】
またボールチャック方式を採用した場合における他の問題として、クランプ方式と比較してディスク保持力が弱いため、回転時に記録ディスクに回転トルクが加わった際に記録ディスクが滑ってしまう点が挙げられる。
【発明の開示】
【発明が解決しようとする課題】
【００１７】
近年、ＣＤ、ＤＶＤ等の光ディスクを駆動するスピンドルモータに対して、小型化、薄型化、静音化が要求されている。
【００１８】
小型化・薄型化の観点から、最近の機種においては情報記録装置の全高が７ｍｍ以下になる超薄型のものが登場している。この超薄型の情報記録装置に搭載するスピンドルモータは、この７ｍｍ以下の厚み内に駆動機構、軸受機構、ディスク保持機構を全て納めねばならず、薄型化は限界に近づいている。そのため、ボールチャック方式を採用する必要がある。しかしながらボールチャック方式を採用すると、振動・騒音問題が発生し易くなってしまう。また、このスピンドルモータは、ターンテーブルの厚さについても従来のものより薄くなっている。その結果、ターンテーブル自体の剛性が低下し、さらに振動しやすくなっている。
【００１９】
本発明の目的は、軸方向厚みを増すことなく、スピンドルモータを小型化・薄型化したことによる記録ディスクの振動を効果的に抑制し、騒音、書込み・読取りの精度に優れたスピンドルモータを提供することにある。
【課題を解決するための手段】
【００２０】
本発明は、中心開口部を有する円板状の記録ディスクを着脱自在とするチャッキング装置を備えるスピンドルモータであって、所定の回転中心軸となるシャフトと、前記シャフトを中心として前記シャフトとともに回転するターンテーブルと、前記ターンテーブルの上面に設けられ、前記記録ディスクの下面を支持するディスク載置部材と、前記ターンテーブル上の中央部に配置されて、前記ターンテーブルとともに回転し、前記記録ディスクの中心開口部が嵌装される略円錐面を有するチャッキングケースと、前記チャッキングケースから径方向外方に突出するよう付勢され、前記記録ディスクの中心開口部に係合して当該記録ディスクを保持する複数の保持爪と、を有するチャッキング装置と、を備え、前記記録ディスク載置時において、前記記録ディスクの下面と前記ディスク載置部材とが当接する面積及び前記ディスク載置部材と前記ターンテーブルの上面とが当接する面積の少なくともいずれかが周方向で不均一となるよう設定されていることを特徴とする。
【００２１】
本発明に従えば、記録ディスクは、スピンドルモータの回転中心軸に対してアンバランスな状態で保持されるので、この保持された記録ディスクの振動モードは記録ディスクの回転中心軸線に対し軸非対称となり、したがって回転駆動するモータからの励振力を受けにくく、記録ディスクの振動を抑えることができる。また、この効果を軸方向高さが増すことなく実現することができる。
【００２２】
また、本発明における前記ディスク載置部材の外径及び内径の少なくとも一方は回転中心軸からの径方向の距離が周方向で不均一であることを特徴とする。
【００２３】
本発明に従えば、スピンドルモータの回転中心軸に対する記録ディスクのアンバランスを付与することが容易であり、記録ディスクに発生する振動が効果的に減衰される。
【００２４】
また、本発明における前記ディスク載置部材は、上面において前記記録ディスクと当接し下面において前記ターンテーブルに固定される支持部と、前記支持部より厚さが薄い薄肉部とを備えることを特徴とする。
【００２５】
本発明に従えば、スピンドルモータの回転中心軸に対する記録ディスクのアンバランスを付与することが容易であり、記録ディスクに発生する振動が効果的に減衰される。
【００２６】
また、本発明における前記薄肉部は、その上面において前記記録ディスクと当接し、その下面は前記ターンテーブルとの間に間隙を有することを特徴とする。
【００２７】
本発明に従えば、記録ディスクとディスク載置部材との当接面積を減少させることなくスピンドルモータの回転中心軸に対する記録ディスクのアンバランスを付与することができる。したがって、記録ディスクをターンテーブルに対して滑りにくく保持することができる。
【００２８】
また、本発明における前記薄肉部は、その下面において前記ターンテーブルと当接し、その上面は前記記録ディスクとの間に間隙を有することを特徴とする。
【００２９】
本発明に従えば、記録ディスクの回転中心軸に対するアンバランスを容易に付与することができる。また、ディスク載置部材のスピンドルモータへの取付けを比較的容易に行なうことができる。
【００３０】
また、本発明における前記薄肉部は、前記ディスク載置部材に熱を加えて形成されることを特徴とする。
【００３１】
本発明に従えば、記録ディスクの回転中心軸に対するアンバランスを容易に付与することができ、量産性を向上させることができる。
【００３２】
また、本発明における前記ターンテーブルは、その上面に前記ディスク載置部材が当接する当接部と、該当接部より下側に陥没し前記ディスク載置部材と間隙を介して対向する非当接部とを備え、該非当接部の面積が周方向で不均一であることを特徴とする。
【００３３】
本発明に従えば、記録ディスクの回転中心軸に対するアンバランスを容易に付与することができる。また、量産時の組立性が良好である。
【００３４】
また、本発明における前記ディスク載置部材は略円弧形状であることを特徴とする。
【００３５】
本発明に従えば、スピンドルモータの回転中心軸に対する記録ディスクのアンバランスを付与することが容易である。
【００３６】
また、本発明における前記ディスク載置部材は略円環形状であることを特徴とする。
【００３７】
本発明に従えば、量産時の組立性が良好である。
【００３８】
また、本発明における前記ディスク載置部材は複数設けられることを特徴とする。
【００３９】
本発明に従えば、ディスク載置部材の配置の自由度が良好であり、記録ディスクのアンバランスな保持について、最適な配置を選択することができる。
【００４０】
また、本発明における前記ディスク載置部材は周方向に不均等に設けられることを特徴とする。
【００４１】
本発明に従えば、スピンドルモータの回転中心軸に対する記録ディスクのアンバランスを付与することが容易である。
【００４２】
また、本発明における複数個の前記ディスク載置部材のうちの少なくとも１つは、前記記録ディスクと当接する面積が他の前記ディスク載置部材の少なくとも１つと異なることを特徴とする。
【００４３】
本発明に従えば、スピンドルモータの回転中心軸に対する記録ディスクのアンバランスを付与することが容易である。
【００４４】
また、本発明における前記ターンテーブルの厚みは０．４ｍｍ以下であることを特徴とする。
【００４５】
本発明に従えば、ターンテーブルの厚みが薄いので、スピンドルモータの小型化・薄型化が可能である。また、ターンテーブルを薄くすることで、振動・騒音が発生し易くなるが、本発明では記録ディスクが回転中心軸に対してアンバランスに保持されるので、振動・騒音を抑えることができる。
【００４６】
また、本発明における前記ディスク載置部材は、ゴムで成型されており、その表面には複数の凸部が形成されていることを特徴とする。
【００４７】
本発明に従えば、複数の凸部が滑り止めの役割を果たすので、記録ディスクがターンテーブルに対して滑りにくくなる。
【００４８】
また、本発明における前記ディスク載置部材の厚さは、０．２ｍｍ以下であることを特徴とする。
【００４９】
本発明に従えば、ディスク載置部材の厚さが薄いので、スピンドルモータの薄型化を行なうことができる。また、ディスク載置部材を薄くすることで、ディスク載置部材の弾性変形の差による平面度の精度低下を回避することができる。
【００５０】
また、本発明における前記ディスク載置部材は、シリコーン系樹脂を含んだ材料であることを特徴とする。
【００５１】
本発明に従えば、シリコーン系樹脂は物性に優れておりディスク載置部材の薄型化に好適である。
【００５２】
また、本発明において、情報記録装置は、中心開口部を有する円板状の記録ディスクが装着される情報記録装置において、筐体と、当該筐体内部に固定され前記記録ディスクを回転させるスピンドルモータと、前記記録ディスクの所要の位置に情報を書き込みまたは読み出すための情報アクセス手段とを有する情報記録装置であって、前記スピンドルモータは、請求項１乃至請求項１６のいずれかに記載のスピンドルモータであることを特徴とする。
【００５３】
本発明に従えば、薄型で振動・騒音の少ない情報記録装置を提供することができる。
【発明を実施するための最良の形態】
【００５４】
以下、図面を参照して、本発明に従うスピンドルモータの実施例について説明する。
【実施例１】
【００５５】
図１は、本発明に従うスピンドルモータの第１の実施例を示す断面図である。図２は、当該スピンドルモータを取り付けた情報記憶装置の構成図である。図３は、図１のスピンドルモータを示す平面図である。図４は、スピンドルモータにおけるディスク載置部材の拡大図である。図５は、本実施例におけるディスク載置部材の変形例を示した平面図である。
【００５６】
図１を参照して、本発明のスピンドルモータ１の構成を説明する。スピンドルモータ１は固定部１０と回転部２０とからなる。
【００５７】
固定部１０は、略円筒形状のベアリングブッシュ１２を備えている。ベアリングブッシュ１２の軸方向下側には、取付板１４が固定される。ベアリングブッシュ１２の外周面にはステータ１６が固定される。ベアリングブッシュ１２の径方向内方には、焼結材料で構成される略円筒形状のスリーブ軸受４０がベアリングブッシュ１２の内周面と嵌合して固定される。ベアリングブッシュ１２の下端開口は、蓋部材１８にて閉塞されている。
【００５８】
回転部２０は、有蓋円筒形状のロータホルダ２２を備えている。ロータホルダ２２は環状の周側壁２４と、周側壁２４の端部に設けられた蓋部２６を有し、蓋部２６の中央部にシャフト２８が固定されている。このシャフト２８の中心軸線が回転中心軸となり、また、後述する記録ディスク５０の回転中心軸線を構成する。シャフト２８はスリーブ軸受４０の貫通支持孔４２に挿入され、スリーブ軸受４０に回転自在に支持され、またその端面はベアリングブッシュ１２の内底面つまり蓋部材１８の上面に設けられたスラストプレート４４に回転自在に支持されている。かく構成されているので、シャフト２８に作用するラジアル荷重はスリーブ軸受４０を介して支持され、シャフト２８に作用するスラスト荷重はスラストプレート４４を介して支持される。
【００５９】
ロータホルダ２２の周側壁２４の内周面にはロータマグネット３０が装着されている。本実施例では、ロータホルダ２２は磁性材料で構成されており、ヨークの役割を果たす。このロータマグネット３０に対向してステータ１６が配設されている。ステータ１６は、ベアリングブッシュ１２の外周面に装着されたステータコア３２と、ステータコア３２に所要のとおりに巻かれたコイル３４とを有している。コイル３４に電流が送給されると、ステータ１６とロータマグネット３０との磁気的作用によってロータホルダ２２が所定方向に回転駆動される。
【００６０】
この実施例では、ロータホルダ２２の蓋部２６の上面外周部側にディスク載置部材６０を貼付しており、このディスク載置部材６０の上面に、記録ディスク５０（たとえばＣＤ−ＲＯＭ、ＤＶＤ等）が載置される。つまり、本実施例においてロータホルダ２２はターンテーブルの役割を果たす。記録ディスク５０に対する摩擦力を大きくするために、ディスク載置部材６０はゴム等の弾性を有する部材で成型されており、たとえば粘着剤によってロータホルダ２２の蓋部２６上に貼付けられる。ロータホルダ２２の蓋部２６の厚さは０．３５ｍｍであり、ディスク載置部材６０の厚さはおよそ０．２ｍｍである。ディスク載置部材６０については後述する。
【００６１】
記録ディスク５０は円板状であり、その中央部には位置決め孔として機能する円形状の中心開口部が形成されている。一方、ロータホルダ２２の上端部にはチャッキングケース６４が取り付けられ、チャッキングケース６４には、上方に向けて外径が漸減する略円錐面を形成する案内部６５が設けられている。このように構成されているので、記録ディスク５０の中心開口部が案内部６５と嵌装される。これにより、記録ディスク５０は案内部６５に案内されてディスク載置部材６０の上側に位置決めされて載置される。
【００６２】
さらに、前記チャッキングケース６４は、記録ディスク５０を保持するためのチャッキング装置６６の一部を構成している。チャッキング装置６６は、ディスク載置部材６０の上側に載置された記録ディスク５０に係合する保持爪６８を備え、この保持爪６８は、弾性バネ７０による変形復元作動機構によって径方向に移動自在である。この保持爪６８の下面がディスク係合面として作用する。保持爪６８が上記保持位置にあるとき、その係合面が記録ディスク５０の内周側上部と係合し、かくして記録ディスク５０はディスク載置部材６０と保持爪６８との間に保持される。一方、記録ディスク５０が上方に移動すると、この保持爪６８は上方に押圧され移動すると共に係合面の傾斜に従ってチャッキングケース６４の内部に入り込んで、保持爪６８による保持状態が解除され、載置された記録ディスク５０をチャッキング装置６６から取外すことができる。このような保持爪６８は、たとえば合成樹脂材料から形成される。
【００６３】
また、チャッキング装置６６は、調芯爪７２を備える。調芯爪７２はチャッキングケース６４と一体に設けられ、片持ち状に設けられる。調芯爪７２は記録ディスク５０の装着時に記録ディスク５０の中心開口部を径方向外方に弾性を持って押圧し、記録ディスク５０の情報記録面を回転中心軸と同軸になるように調芯する。
【００６４】
上述のように、本実施例では、ディスク保持に関していわゆるボールチャック方式を採用している。また、ロータホルダ２２がターンテーブルの役割を兼ねている。さらに、ロータホルダ２２の蓋部２６の厚さを０．４ｍｍ以下に抑えている。そして、ディスク載置部材６０を約０．２ｍｍの薄型のゴムで形成している。このように構成することで、スピンドルモータ１の全高を低く抑え、スピンドルモータ１及びこれが搭載される電子機器の薄型化を実現している。
【００６５】
次に、スピンドルモータ１が搭載される情報記録装置１００の内部構成について、図２を参照して説明する。情報記録装置１００は、チャッキング装置６６を備えるスピンドルモータ１と、モータ回転時に、記録ディスク５０の所要の位置に情報を書込み又は読み出すためのピックアップ装置８０と、これらを外囲する筐体８２と、から構成されている。
【００６６】
この実施例では、回転中に発生する記録ディスク５０の振動を抑えるために、ディスク載置部材６０Ａが図３に示すように構成されている。図３を参照して、ディスク載置部材６０Ａは周方向に間隔を置いて分割して配置された複数個（この実施例では、３個）の円弧状ディスク載置部材６０Ａ１、６０Ａ２、６０Ａ３が設けられ、回転中心軸を中心とした略同一円周上に配置されている。この周方向の間隔は不均等であり、本実施例においてディスク載置部材６０Ａは図示右側に偏るように形成されている。
【００６７】
記録ディスク５０のロータホルダ２２に対する載置状態が周方向に不均一、すなわち、記録ディスク５０の下面と直接接するディスク載置部材６０Ａの面積及びディスク載置部材６０Ａと直接接するロータホルダ２２の面積（以下、面積Ｔ）につき、周方向同一半径位置において、ディスク載置部材６０Ａが貼付されている部分は面積Ｔを有し、ディスク載置部材６０Ａが貼付されていない部分は面積Ｔが無いように配置され、これらが周方向に不均等に配置されているので、記録ディスク５０の保持は周方向に不連続で回転中心軸に対して軸非対称な保持状態になっている。
【００６８】
記録ディスク５０をこのような回転中心軸に対して軸非対称な保持状態にすると、記録ディスク５０の振動モードも軸非対称になる。したがって、スピンドルモータ１の回転時に軸対称の励振が発生しても記録ディスク５０は共振し難くなり、記録ディスク５０に発生する振動を効果的に抑えることができる。
【００６９】
また、この実施例では、回転中に記録ディスク５０がディスク載置部材６０Ａに対して滑るのを抑えるために、ディスク載置部材６０Ａの記録ディスク５０を支持する部分の表面は図４に示すように構成されている。ディスク載置部材６０Ａはシリコーン樹脂を含むゴムで形成されている。シリコーン樹脂は耐熱性及び寸法精度に優れているので、ディスク載置部材６０Ａの厚さを薄く設定することができる。
【００７０】
図４を参照して、ディスク載置部材６０Ａの記録ディスク５０を支持する部分の表面には、高さ数１０μｍ、幅が数１００μｍの丘部７４が規則性を持って配置されている。この構成は、滑り止めの役割を果たす。以下、図４を説明する際において、ディスク載置部材６０Ａの表面のうち、丘部７４が形成されていない部分を溝部７６とする。
【００７１】
滑り止めの仕組みについて説明する。先述のように、本実施例におけるスピンドルモータ１はチャッキング装置６６としていわゆるボールチャック方式を採用している。スピンドルモータ１に記録ディスク５０を装着する際には、記録ディスク５０は軸方向下方に押圧され、記録ディスク５０の下面はディスク載置部材６０Ａを軸方向下方に押圧する。ディスク載置部材６０Ａはゴムで形成されており、丘部７４は記録ディスク５０の装着時に記録ディスク５０から加わる押圧力によって軸方向下方に弾性収縮する。ここで、丘部７４の高さは数１０μｍと非常に微細であるため、収縮時において丘部７４の高さと溝部７６の高さとは略同一となる。その後、記録ディスク５０の装着が完了すると、記録ディスク５０を軸方向下方に押圧する押圧力は減少し、丘部７４は弾性により軸方向上方に膨張しようとする。その結果、記録ディスク５０と溝部７６との隙間は略真空状態となり、記録ディスク５０をディスク載置部材６０Ａに吸着する。これにより、記録ディスク５０が回転部２０に対して滑ることを防止することができる。
【００７２】
また、上述のように、ディスク載置部材６０Ａの厚さを約０．２ｍｍに設定することで、ディスク載置部材６０Ａの弾性変形による記録ディスク５０の記録面の振れを防止することができる。
【００７３】
なお、上述の実施例では、記録ディスク５０の保持状態が周方向に不均一な軸非対称状態になることを明確に示すために、ディスク載置部材６０Ａを同一形状である３つの円弧形とし、周方向に不均等な隙間をあけて周上に配置した例を示したが、これに限定されるものではない。周方向に不均一で軸非対称な保持条件が得られるものであれば適宜設定することができる。このことは、後述する実施例での設定においても同様である。
【００７４】
例えば、円弧形の数を記録ディスク５０を安定に保持できる大きさ・配置であれば１個でもよく、２個や４個以上にしても良いし、円弧形の大きさを不揃いにしても良い。また、ディスク載置部材６０Ａは円弧形以外の形状でもよい。また、図５のように、略円環形状を保持したディスク載置部材６０Ｂの内径もしくは外径のうち少なくとも一方を周方向で増減変化させることにより、周方向同一半径位置における面積Ｔが増減変化するようにして、記録ディスク５０の保持が周方向に不均一で軸非対称な保持状態を形成しても良い。
【００７５】
また、上述の実施例では、滑り止めの構成を丘部７４が規則性を持って配置される構成としたが、これに限定されるものではない。例えば、溝部７６が規則性を持って配置されていてもよい。また、丘部７４及び溝部７６は、必ずしも規則性を持って配置されていなくてもよく、滑り止めの効果を発揮する構成であればよい。
【００７６】
また、上述の実施例において、ロータホルダ２２に窒化処理を施してもよい。これにより、ロータホルダ２２自体の剛性が増し、スピンドルモータ１の振動が低減される。
【００７７】
また、上述の実施例において、ロータホルダ２２がターンテーブルを兼ねるとしたが、これに限定されるものではない。ロータホルダと別体のターンテーブルを設けてもよく、例えばターンテーブルを樹脂にて設ける構成でもよい。
【実施例２】
【００７８】
図６は、第２の実施例に関するスピンドルモータ１のディスク載置部材６０Ｃを示した平面図である。図７は、図６に示すディスク載置部材６０ＣのＡ−Ａ`断面図である。図８は、本実施例に関するディスク載置部材６０Ｄの第１の変形形態の母材であるゴムシート９０を示した図である。図９は、本実施例に関するディスク載置部材６０Ｄの第１の変形形態を示した平面図である。
【００７９】
ディスク載置部材６０Ｃは、例えば図６及び図７に示すように一部の厚さを薄くすることによって構成しても良い。本実施例において、ディスク載置部材６０Ｃのうち、上面及び下面がそれぞれ記録ディスク５０及びロータホルダ２２のいずれとも当接する部分を支持部６２と定義する。また、ディスク載置部材６０Ｂのうち支持部６２より厚さが薄い部分を薄肉部７８と定義する。
【００８０】
本実施例において、ディスク載置部材６０Ｃは円環形状に設けられ、支持部６２と薄肉部７８とが、周方向に不均一となるように設けられている。薄肉部７８は、支持部６２と比較して厚さが薄いので、記録ディスク５０の下面及びロータホルダ２２の上面の両方と同時に当接することは無い。従って、支持部６２と薄肉部７８とはその面積Ｔが異なり、またこれらは周方向に不均一に配置されているので、記録ディスク５０の保持は周方向に不均一で回転中心軸に対して軸非対称な保持状態になっている。
【００８１】
図７（ａ）に示すものは、薄肉部７８Ａがその下面においてロータホルダ２２と当接するものである。このように構成することにより、ディスク載置部材６０Ｃをロータホルダ２２に対して安定した状態で固定することができる。
【００８２】
図７（ｂ）に示すものは、薄肉部７８Ｂがその上面において記録ディスク５０と当接するものである。このように構成することにより、記録ディスク５０はディスク載置部材６０Ｃと広い面積で接することになり、実施例１で示した滑り止めを広い面積に形成することができるので、ロータホルダ２２に対して記録ディスク５０が滑ることが防止されるようになる。
【００８３】
図８に示すのは、本実施例の第１の変形形態であるディスク載置部材６０Ｄの母材となるゴムシート９０である。
このゴムシート９０は、前述の通り、シリコーン樹脂を含むゴムで形成されている。その記録ディスク５０を支持する側の面の表面には、前述の滑り止めが設けられる。また、ロータホルダ２２と対向する側の面には、ロータホルダ２２に接着固定するための粘着層が設けられる。
【００８４】
以下、ディスク載置部材６０Ｄの製造工程について説明する。
まず、前記ゴムシート９０の粘着層が形成される側の面を上側にして作業台上に固定する。次に、加熱した治具をゴムシート９０の上側から図に示す加熱部９２に押しあてる。この治具は、焼きごてのようなものでもよいし、ローラ状のものでもよい。治具により加熱された加熱部９２の粘着層は、熱により性質が変化し、粘着力を喪失する。また、加熱部９２の粘着層は、熱により性質が変化し、収縮する。その結果、薄肉部７８が形成される。
その後、例えばトムソン刃のような型抜き治具を用いて、ゴムシート９０をディスク載置部材６０Ｄの形状に打ち抜く。これにより、図９に示すような支持部６２と薄肉部７８とを備えたディスク載置部材６０Ｄを得ることができる。尚、本製造工程により得られるディスク載置部材６０Ｄの断面は、図７（ｂ）に示すような、薄肉部７８が上面において記録ディスク５０と接するものになる。
【００８５】
前述の通り、ディスク載置部材６０の厚みは約０．２ｍｍであり、切削加工により薄肉部７８を形成するのは困難である。この点、加熱による方法であれば、比較的容易に薄肉部７８を形成することができる。また、ゴムシート９０の状態で薄肉部７８を形成するので、複数のディスク載置部材６０に一度に薄肉部７８を形成することができ、量産性に優れる。
【００８６】
また、円環形状のディスク載置部材６０Ｄをロータホルダ２２に貼付した後に、加熱した治具をディスク載置部材６０Ｄの上面から押し当てることにより局部的に熱変性させ、当該部分の厚さを薄肉化させ、薄肉部７８を形成することもできる。この工程により得られるディスク載置部材６０Ｄの断面は、図７（ａ）に示すようなものになる。
【００８７】
本実施例の図８においては、加熱部９２が帯状に形成されているが、これに限定されるものではない。治具の形状を変更等することにより所望の形状に形成することができる。
【００８８】
本実施例においては、ディスク載置部材６０Ｃ、６０Ｄは円環形状に設けられているが、これに限定されるものではない。型抜き治具の形状を変更する等により所望の形状に形成することができる。ここで、信頼性の観点から、ディスク載置部材６０をロータホルダ２２へ安定して取り付ける要請がある。この点、ディスク載置部材６０の形状を円環形状とした方が好ましい。また、１度の作業で取り付けることができるので、工数低減が可能であるという効果もある。他方、量産効率の観点から、ゴムシート９０一枚あたりのディスク載置部材６０の取り数を増やす要請がある。この点、円環形状よりも円弧形状の方が取り数を増やすことができるので、量産効率の観点からは、ディスク載置部材６０を円弧形状とすることが望ましい。
【実施例３】
【００８９】
図１０はスピンドルモータ１の第三の実施例に関する断面図である。図１１は、図１０に示すスピンドルモータ１の平面図である（図１１において、ディスク載置部材６０Ｅは図示省略）。
【００９０】
図１０、図１１を参照して、本実施例におけるスピンドルモータ１は、ロータホルダ２２の上面に回転中心軸と略垂直に設けられる平面である当接部９４と、当接部９４より軸方向下側に陥没する非当接部９６とが、周方向に不均一に設けられている。本実施例は、当接部９４に円環状のディスク載置部材６０Ｅを貼付し、非当接部９６はディスク載置部材６０Ｅと間隙を介して対向する構成とすることで、非当接部９６における面積Ｔが当接部９４と異なるので、周方向で増減変化するようにしてアンバランスを持たせた例である。尚、ディスク載置部材６０Ｅはゴム製であり弾性を有するので、非当接部９６を広範囲に亘って設けた場合には、ディスク載置部材６０Ｅの非当接部９６と対向する部分が軸方向下側に撓み変形し、非当接部９６がディスク載置部材６０Ｅ下面と接することもありうる。このような場合においては、非当接部９６の軸方向上側に位置するディスク載置部材６０Ｅが記録ディスク５０に対して非接触となるので、当接部９４と非当接部９６とで面積Ｔが異なり、アンバランスを持たせることができる。
【００９１】
尚、非当接部９６は例えばプレス加工により設けることができる。
【００９２】
本実施例において、ディスク載置部材６０Ｅを円環状としたが、形状はこれに限定されるものではない。例えば円弧形等種々の形状を用いることが可能である。
【００９３】
以上、本発明に従う情報記録装置１００及びスピンドルモータ１の実施例について説明したが、本発明はかかる実施例に限定されるものではなく、本発明の範囲を逸脱することなく種々の変形、修正が可能である。
【００９４】
例えば、図示の実施例では、ＣＤ−ＲＯＭ、ＤＶＤを代表とするリムーバブルな記録ディスク５０を事例として記載したが、これに限定されるものではなく、ＣＤ，ＭＯ、フロッピディスクなどを回転駆動するための駆動装置、あるいはリムーバブルハードディスク駆動装置にも同様に適用することができる。
【図面の簡単な説明】
【００９５】
【図１】本発明に従うスピンドルモータの第１の実施例を示す断面図である。
【図２】本発明に従う情報記憶装置の構成図である。
【図３】第１の実施例における図１のスピンドルモータにおけるディスク載置部材の配置を示す平面図である。
【図４】第１の実施例におけるディスク載置部材の表面を示す拡大図である。
【図５】第１の実施例におけるディスク載置部材の第１の変形形態を示す平面図である。
【図６】第２の実施例におけるディスク載置部材の構成を示す平面図である。
【図７】第２の実施例におけるディスク載置部材の構成を示す断面図である。
【図８】第２の実施例におけるディスク載置部材の第１の変形形態の母材であるゴムシートを示す図である。
【図９】第２の実施例におけるディスク載置部材の第１の変形形態を示す平面図である。
【図１０】第３の実施例におけるスピンドルモータの断面図である。
【図１１】第３の実施例におけるスピンドルモータの平面図である。
【図１２】記録ディスクに発生する振動を説明するための説明図である。
【符号の説明】
【００９６】
１      ブラシレスモータ
１０    固定部
１２    ベアリングブッシュ
１４    取付板
１６    ステータ
１８    蓋部材
２０    回転部
２２    ロータホルダ（ターンテーブル）
２４    周側壁
２６    蓋部
２８    シャフト
３０    ロータマグネット
３２    ステータコア
３４    コイル
４０    スリーブ軸受
４２    貫通支持孔
４４    スラストプレート
５０    記録ディスク
６０、６０Ａ、６０Ｂ、６０Ｃ、６０Ｄ、６０Ｅ    ディスク載置部材
６２    支持部
６４    チャッキングケース
６５    案内部
６６    チャッキング装置
６８    保持爪
７０    弾性バネ
７２    調芯爪
７４    丘部（凸部）
７６    溝部
７８、７８Ａ、７８Ｂ    薄肉部
８０    ピックアップ装置
８２    筐体
９０    ゴムシート
９２    加熱部
９４    当接部
９６    非当接部
１００  情報記録装置
【図１】
2008181622.tif 000003
【図２】
2008181622.tif 000004
【図３】
2008181622.tif 000005
【図４】
2008181622.tif 000006
【図５】
2008181622.tif 000007
【図６】
2008181622.tif 000008
【図７】
2008181622.tif 000009
【図８】
2008181622.tif 000010
【図９】
2008181622.tif 000011
【図１０】
2008181622.tif 000012
【図１１】
2008181622.tif 000013
【図１２】
2008181622.tif 000014